(57)【要約】  一つの実施形態に係る通信制御方法は、セルを管理する第１の基地局が、ハンドオーバプロシージャとは異なる特定のプロシージャにおいて第２の基地局にメッセージを送信し、前記メッセージを受信した前記第２の基地局が、前記メッセージに含まれる情報を前記セルと関連付けて記憶する、ことを含む。前記情報は、前記セルのセルサイズに関する情報及び／又は前記セルの二重接続通信の能力に関する情報を含む。
2016190357.tif 000002
【特許請求の範囲】
【請求項１】
セルを管理する第１の基地局が、特定のプロシージャにおいて第２の基地局にメッセージを送信し、
前記メッセージを受信した前記第２の基地局が、前記メッセージに含まれる情報を前記セルと関連付けて記憶する、ことを含み、
前記情報は、前記セルのセルサイズに関する情報及び／又は前記セルの二重接続通信の能力に関する情報を含むことを特徴とする通信制御方法。
【請求項２】
前記特定のプロシージャは、ハンドオーバプロシージャとは異なるプロシージャであることを特徴とする請求項１に記載の通信制御方法。
【請求項３】
前記特定のプロシージャは、基地局間インターフェイス確立プロシージャであることを特徴とする請求項２に記載の通信制御方法。
【請求項４】
前記特定のプロシージャは、基地局設定更新プロシージャであることを特徴とする請求項２に記載の通信制御方法。
【請求項５】
前記第２の基地局は、前記メッセージに含まれる情報に基づいて、自局が管理するセルに接続しているユーザ端末をハンドオーバさせるターゲット基地局を決定することを特徴とする請求項１に記載の通信制御方法。
【請求項６】
前記セルのセルサイズに関する情報は、前記セルのセルサイズ、前記セルの送信電力、及び前記セルのサイズが変更する可能性を示す情報のうちの少なくともいずれか一つを含むことを特徴とする請求項１に記載の通信制御方法。
【請求項７】
セルを管理する基地局であって、
特定のプロシージャにおいて他の基地局にメッセージを送信する処理を行う制御部を備え、
前記メッセージは、前記セルのセルサイズに関する情報及び／又は前記セルの二重接続通信の能力に関する情報を含むことを特徴とする基地局。
【請求項８】
ソース基地局からターゲット基地局へユーザ端末をハンドオーバするハンドオーバプロシージャにおいて、ターゲットセルを管理する前記ターゲット基地局が、前記ソース基地局に、前記ハンドオーバの要求を承認することを示すハンドオーバ承認メッセージを送信し、
前記ソース基地局が、前記ハンドオーバ承認メッセージに含まれる情報に基づいて、前記ハンドオーバプロシージャを継続するか否かを判断する、ことを含み、
前記ハンドオーバ承認メッセージは、前記ターゲットセルのセルサイズに関する情報及び／又は前記ターゲットセルの二重接続通信の能力に関する情報を含むことを特徴とする通信制御方法。
【請求項９】
他の基地局から自基地局へユーザ端末をハンドオーバするハンドオーバプロシージャにおいてセルを管理する基地局であって、
前記他の基地局に、前記ハンドオーバの要求を承認することを示すハンドオーバ承認メッセージを送信する処理を行う制御部を備え、
前記ハンドオーバ承認メッセージは、前記セルのセルサイズに関する情報及び／又は前記セルの二重接続通信の能力に関する情報を含むことを特徴とする基地局。
【請求項１０】
前記セルのセルサイズに関する情報及び／又は前記セルの二重接続通信の能力に関する情報は、前記他の基地局が、前記ハンドオーバプロシージャを継続するか否かを判断するために用いられることを特徴とする請求項９に記載の基地局。
【請求項１１】
ソース基地局からターゲット基地局へユーザ端末をハンドオーバするハンドオーバプロシージャにおいて、前記ソース基地局が、ターゲットセルを管理する前記ターゲット基地局に、前記ハンドオーバを要求することを示すハンドオーバ要求メッセージを送信し、
前記ターゲット基地局が、前記ハンドオーバ要求メッセージに含まれる情報に基づいて、前記ハンドオーバの要求を承認するか否かを判断する、ことを含み、
前記情報は、前記ターゲットセルに要求されるセルサイズに関する情報及び／又は前記ターゲットセルに要求される二重接続通信の能力に関する情報を含むことを特徴とする通信制御方法。
【請求項１２】
前記ターゲット基地局は、前記ハンドオーバの要求を承認する場合、前記ハンドオーバの要求を承認することを示すハンドオーバ承認メッセージを前記ソース基地局へ送信し、前記ハンドオーバの要求を拒否する場合には、前記ハンドオーバの要求を拒否することを示すハンドオーバ拒否メッセージを前記ソース基地局へ送信することを特徴とする請求項１１に記載の通信制御方法。
【請求項１３】
自基地局から他の基地局へユーザ端末をハンドオーバするハンドオーバプロシージャにおいてセルを管理する基地局であって、
他のセルを管理する前記他の基地局に、前記ハンドオーバを要求することを示すハンドオーバ要求メッセージを送信する処理を行う制御部を備え、
前記ハンドオーバ要求メッセージは、前記他のセルに要求されるセルサイズに関する情報及び／又は前記他のセルに要求される二重接続通信の能力に関する情報を含むことを特徴とする基地局。
【請求項１４】
ユーザ端末が、隣接セルから受信する無線信号に基づいて、前記ユーザ端末が接続するサービングセルに測定報告を送信し、
前記サービングセルを管理する基地局が、前記測定報告に含まれる情報を前記隣接セルと関連付けて記憶する、ことを含み、
前記情報は、前記隣接セルのセルサイズに関する情報及び／又は前記隣接セルの二重接続通信の能力に関する情報を含むことを特徴とする通信制御方法。
【請求項１５】
隣接セルから無線信号を受信する受信部と、
前記無線信号に基づいて、サービングセルに測定報告を送信する処理を行う制御部と、を備え、
前記無線信号は、前記隣接セルのセルサイズに関する情報及び／又は前記隣接セルの二重接続通信の能力に関する情報を含み、
前記制御部は、前記無線信号に含まれる前記隣接セルのセルサイズに関する情報及び／又は前記隣接セルの二重接続通信の能力に関する情報を前記測定報告に含めることを特徴とするユーザ端末。
【発明の詳細な説明】
【技術分野】
【０００１】
本発明は、移動通信システムにおける通信制御方法、基地局、及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、二重接続（Ｄｕａｌ  Ｃｏｎｎｅｃｔｉｖｉｔｙ）通信が仕様化されている（例えば、非特許文献１参照）。二重接続通信は、ＲＲＣ（Ｒａｄｉｏ  Ｒｅｓｏｕｒｃｅ  Ｃｏｎｔｒｏｌ）コネクティッドモードのユーザ端末にマスタセルグループ（ＭＣＧ）及びセカンダリセルグループ（ＳＣＧ）が設定される通信モードである。ＭＣＧは、マスタ基地局により管理されるサービングセル群である。ＳＣＧは、セカンダリ基地局により管理されるサービングセル群である。
【先行技術文献】
【非特許文献】
【０００３】
【非特許文献１】３ＧＰＰ技術仕様書  「ＴＳ  ３６．３００  Ｖ１２．５．０」  ２０１５年３月
【発明の概要】
【０００４】
一つの実施形態に係る通信制御方法は、セルを管理する第１の基地局が、特定のプロシージャにおいて第２の基地局にメッセージを送信し、前記メッセージを受信した前記第２の基地局が、前記メッセージに含まれる情報を前記セルと関連付けて記憶する、ことを含む。前記情報は、前記セルのセルサイズに関する情報及び／又は前記セルの二重接続通信の能力に関する情報を含む。
【図面の簡単な説明】
【０００５】
【図１】ＬＴＥシステムの構成を示す図である。
【図２】ＬＴＥシステムにおける無線インターフェイスのプロトコルスタック図である。
【図３】ＵＥ（ユーザ端末）のブロック図である。
【図４】ｅＮＢ（基地局）のブロック図である。
【図５】実施形態に係る想定シナリオを示す図である。
【図６】第１実施形態に係る動作パターン１の一例を示す図である。
【図７】第１実施形態に係る動作パターン２の一例を示す図である。
【図８】第２実施形態に係る動作の一例を示す図である。
【図９】第３実施形態に係る動作の一例を示す図である。
【図１０】第４実施形態に係る動作の一例を示す図である。
【発明を実施するための形態】
【０００６】
［実施形態の概要］
二重接続通信において、マスタ基地局は、ユーザ端末とのＲＲＣ接続を確立し、ユーザ端末のモビリティ制御（特に、ハンドオーバ制御）を行う。これに対し、セカンダリ基地局は、ＲＲＣ接続をユーザ端末と確立せずに、追加的な無線リソースをユーザ端末に提供する。
【０００７】
従って、ユーザ端末のハンドオーバ頻度を抑制するために、カバレッジの広い基地局（例えば、マクロセル基地局）をマスタ基地局として設定することが望ましい。
【０００８】
また、ハンドオーバ時における二重接続通信の継続性を保証するために、ターゲット基地局（ターゲットセル）が二重接続通信の能力を有していることが望ましい。
【０００９】
以下の実施形態において、二重接続通信を行う場合において適切なモビリティ制御を行うことを可能とする通信制御方法が開示される。
【００１０】
第１実施形態乃至第４実施形態に係る通信制御方法は、セルを管理する第１の基地局が、特定のプロシージャにおいて第２の基地局にメッセージを送信し、前記メッセージを受信した前記第２の基地局が、前記メッセージに含まれる情報を前記セルと関連付けて記憶する、ことを含む。前記情報は、前記セルのセルサイズに関する情報及び／又は前記セルの二重接続通信の能力に関する情報を含む。
【００１１】
第１実施形態において、前記特定のプロシージャは、ハンドオーバプロシージャとは異なるプロシージャである。
【００１２】
第１実施形態の動作パターン１において、前記特定のプロシージャは、基地局間インターフェイス確立プロシージャである。
【００１３】
第１実施形態の動作パターン２において、前記特定のプロシージャは、基地局設定更新プロシージャである。
【００１４】
第１実施形態において、前記第２の基地局は、前記メッセージに含まれる情報に基づいて、自局が管理するセルに接続しているユーザ端末をハンドオーバさせるターゲット基地局を決定する。
【００１５】
第１実施形態において、前記セルのセルサイズに関する情報は、前記セルのセルサイズ、前記セルの送信電力、及び前記セルのサイズが変更する可能性を示す情報のうちの少なくともいずれか一つを含む。
【００１６】
第１実施形態に係る基地局は、セルを管理する。前記基地局は、特定のプロシージャにおいて他の基地局にメッセージを送信する処理を行う制御部を備える。前記メッセージは、前記セルのセルサイズに関する情報及び／又は前記セルの二重接続通信の能力に関する情報を含む。
【００１７】
第２実施形態に係る通信制御方法は、ソース基地局からターゲット基地局へユーザ端末をハンドオーバするハンドオーバプロシージャにおいて、ターゲットセルを管理する前記ターゲット基地局が、前記ソース基地局に、前記ハンドオーバの要求を承認することを示すハンドオーバ承認メッセージを送信し、前記ソース基地局が、前記ハンドオーバ承認メッセージに含まれる情報に基づいて、前記ハンドオーバプロシージャを継続するか否かを判断する、ことを含む。前記ハンドオーバ承認メッセージは、前記ターゲットセルのセルサイズに関する情報及び／又は前記ターゲットセルの二重接続通信の能力に関する情報を含む。
【００１８】
第２実施形態に係る基地局は、他の基地局から自基地局へユーザ端末をハンドオーバするハンドオーバプロシージャにおいてセルを管理する。前記基地局は、前記他の基地局に、前記ハンドオーバの要求を承認することを示すハンドオーバ承認メッセージを送信する処理を行う制御部を備える。前記ハンドオーバ承認メッセージは、前記セルのセルサイズに関する情報及び／又は前記セルの二重接続通信の能力に関する情報を含む。
【００１９】
第２実施形態において、前記セルのセルサイズに関する情報及び／又は前記セルの二重接続通信の能力に関する情報は、前記他の地局が、前記ハンドオーバプロシージャを継続するか否かを判断するために用いられる。
【００２０】
第３実施形態に係る通信制御方法は、ソース基地局からターゲット基地局へユーザ端末をハンドオーバするハンドオーバプロシージャにおいて、前記ソース基地局が、ターゲットセルを管理する前記ターゲット基地局に、前記ハンドオーバを要求することを示すハンドオーバ要求メッセージを送信し、前記ターゲット基地局が、前記ハンドオーバ要求メッセージに含まれる情報に基づいて、前記ハンドオーバの要求を承認するか否かを判断する、ことを含む。前記情報は、前記ターゲットセルに要求されるセルサイズに関する情報及び／又は前記ターゲットセルに要求される二重接続通信の能力に関する情報を含む。
【００２１】
第３実施形態において、前記ターゲット基地局は、前記ハンドオーバの要求を承認する場合、前記ハンドオーバの要求を承認することを示すハンドオーバ承認メッセージを前記ソース基地局へ送信し、前記ハンドオーバの要求を拒否する場合には、前記ハンドオーバの要求を拒否することを示すハンドオーバ拒否メッセージを前記ソース基地局へ送信する。
【００２２】
第３実施形態に係る基地局は、自基地局から他の基地局へユーザ端末をハンドオーバするハンドオーバプロシージャにおいてセルを管理する。前記基地局は、他のセルを管理する前記他の基地局に、前記ハンドオーバを要求することを示すハンドオーバ要求メッセージを送信する処理を行う制御部を備える。前記ハンドオーバ要求メッセージは、前記他のセルに要求されるセルサイズに関する情報及び／又は前記他のセルに要求される二重接続通信の能力に関する情報を含む。
【００２３】
第４実施形態に係る通信制御方法は、ユーザ端末が、隣接セルから受信する無線信号に基づいて、前記ユーザ端末が接続するサービングセルに測定報告を送信し、前記サービングセルを管理する基地局が、前記測定報告に含まれる情報を前記隣接セルと関連付けて記憶する、ことを含む。前記情報は、前記隣接セルのセルサイズに関する情報及び／又は前記隣接セルの二重接続通信の能力に関する情報を含む。
【００２４】
第４実施形態に係るユーザ端末は、隣接セルから無線信号を受信する受信部と、前記無線信号に基づいて、サービングセルに測定報告を送信する処理を行う制御部と、を備える。前記無線信号は、前記隣接セルのセルサイズに関する情報及び／又は前記隣接セルの二重接続通信の能力に関する情報を含む。前記制御部は、前記無線信号に含まれる前記隣接セルのセルサイズに関する情報及び／又は前記隣接セルの二重接続通信の能力に関する情報を前記測定報告に含める。
【００２５】
［移動通信システム］
（１）移動通信システムの構成
図１は、実施形態に係る移動通信システムであるＬＴＥ（Ｌｏｎｇ  Ｔｅｒｍ  Ｅｖｏｌｕｔｉｏｎ）システムの構成を示す図である。図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２６】
ＵＥ１００は、ユーザ端末に相当する。ＵＥ１００は、移動型の通信装置であり、セル（サービングセル）との無線通信を行う。ＵＥ１００の構成については後述する。
【００２７】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。Ｘ２インターフェイスは、基地局間インターフェイスに相当する。ｅＮＢ２００の構成については後述する。
【００２８】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００２９】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、モビリティ管理装置に相当し、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００３０】
（２）無線インターフェイスの構成
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３１】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００３２】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００３３】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００３４】
ＰＤＣＰ層は、ヘッダ圧縮・伸張、及び暗号化・復号化を行う。
【００３５】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードであり、そうでない場合、ＵＥ１００はＲＲＣアイドルモードである。
【００３６】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００３７】
（３）ユーザ端末の構成
図３は、ＵＥ１００（ユーザ端末）のブロック図である。図３に示すように、ＵＥ１００は、受信部１１０、送信部１２０、及び制御部１３０を備える。
【００３８】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００３９】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００４０】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、上述した各種の通信プロトコル及び後述する処理を実行する。
【００４１】
（４）基地局の構成
図４は、ｅＮＢ２００（基地局）のブロック図である。図４に示すように、ｅＮＢ２００は、送信部２１０、受信部２２０、制御部２３０、及びバックホール通信部２４０を備える。
【００４２】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００４３】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００４４】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、上述した各種の通信プロトコル及び後述する処理を実行する。
【００４５】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００４６】
（５）二重接続通信の概要
二重接続通信は、ＲＲＣコネクティッドモードのＵＥ１００にマスタセルグループ（ＭＣＧ）及びセカンダリセルグループ（ＳＣＧ）が設定される通信モードである。ＭＣＧは、マスタ基地局（ＭｅＮＢ）により管理されるサービングセル群である。ＳＣＧは、セカンダリ基地局（ＳｅＮＢ）により管理されるサービングセル群である。ＵＥ１００には、各ｅＮＢ２００から無線リソースが割り当てられるため、スループットの向上が見込まれる。
【００４７】
二重接続通信において、ＵＥ１００との接続を確立する複数のｅＮＢ２００のうち、ＭｅＮＢのみがＵＥ１００とのＲＲＣ接続を確立する。これに対し、ＳｅＮＢは、ＲＲＣ接続をＵＥ１００と確立せずに、追加的な無線リソースをＵＥ１００に提供する。ＭｅＮＢとＳｅＮＢとの間にはＸ２インターフェイスが存在する。
【００４８】
二重接続通信におけるユーザデータの転送方式について、ＭＣＧベアラ、ＳＣＧベアラ、スプリットベアラの計３つのタイプのベアラが規定されている。ＭＣＧベアラは、対応する無線プロトコルがＭｅＮＢにのみ存在し、ＭｅＮＢのリソースのみを使用するベアラである。ＳＣＧベアラは、対応する無線プロトコルがＳｅＮＢにのみ存在し、ＳｅＮＢのリソースのみを使用するベアラである。スプリットベアラは、対応する無線プロトコルがＭｅＮＢ及びＳｅＮＢの両方に存在し、ＭｅＮＢ及びＳｅＮＢの両方のリソースを使用するベアラである。
【００４９】
［第１実施形態］
（１）想定シナリオ
図５は、第１実施形態に係る想定シナリオを示す図である。
【００５０】
図５に示すように、ｅＮＢ２００−１はマクロセル＃１を管理し、ｅＮＢ２００−２はマクロセル＃２を管理し、ｅＮＢ２００−３は小セル＃１を管理し、ｅＮＢ２００−４は小セル＃２を管理している。マクロセル＃１の一部とマクロセル＃２の一部とは重複しており、当該重複する領域内に小セル＃１及び小セル＃２が位置する。小セル＃１の一部と小セル＃２の一部とは重複している。
【００５１】
図５（ａ）に示すように、小セル＃１内に位置するＵＥ１００は、ｅＮＢ２００−１をＭｅＮＢ（ＭＣＧ）として設定し、且つ、ｅＮＢ２００−３をＳｅＮＢ（ＳＣＧ）として設定することにより、二重接続通信を行っている。このような状況下で、ＵＥ１００が小セル＃１から小セル＃２の方向に向けて移動すると仮定する。
【００５２】
この場合、ＵＥ１００とｅＮＢ２００−１との間の無線状況が悪化するため、ＵＥ１００のハンドオーバの必要性が生じる。ｅＮＢ２００−１は、ＵＥ１００から送信される測定報告に基づいて、ＵＥ１００のハンドオーバを行うと判断する。測定報告は、サービングセル及び隣接セルのそれぞれの測定結果を含む。測定結果とは、例えば参照信号受信電力（ＲＳＲＰ）及び参照信号受信品質（ＲＳＲＱ）である。
【００５３】
ここで、ＵＥ１００のハンドオーバ候補としては、小セル＃２及びマクロセル＃２が挙げられる。しかしながら、ＵＥ１００がマクロセル＃１から小セル＃２にハンドオーバする場合、小セル＃２のカバレッジが狭いことにより、その後にＵＥ１００がマクロセル＃２にハンドオーバする必要性が生じ得る。その結果、小セル＃２へのハンドオーバが非効率なハンドオーバになってしまう。
【００５４】
一方、図５（ｂ）に示すように、ＵＥ１００がマクロセル＃１からマクロセル＃２にハンドオーバする場合、上述したような非効率なハンドオーバを避けることができる。なお、図５（ｂ）においては、ＵＥ１００がマクロセル＃１からマクロセル＃２にハンドオーバした後、ｅＮＢ２００−２をＭｅＮＢ（ＭＣＧ）として設定し、且つ、ｅＮＢ２００−４をＳｅＮＢ（ＳＣＧ）として設定することにより、二重接続通信を行う一例を示している。
【００５５】
（２）第１実施形態に係る動作
上述した想定シナリオにおいて、ｅＮＢ２００−１が自セル（マクロセル＃１）の隣接セルのそれぞれのセルサイズを把握していれば、小セル＃２よりもマクロセル＃２を優先的にターゲットセルとして選択することができる。
【００５６】
また、ｅＮＢ２００−１が自セル（マクロセル＃１）の隣接セルのそれぞれの二重接続通信の能力を把握していれば、ＵＥ１００のＱｏＳを維持するために、二重接続通信の能力を有するセル（ｅＮＢ）を優先的にターゲットセルとして選択することができる。
【００５７】
第１実施形態に係るｅＮＢ２００は、ｅＮＢ間のシグナリングにより、隣接セルのセルサイズに関する情報又は隣接セルの二重接続通信の能力に関する情報を予め取得する。
【００５８】
第１実施形態において、セルＡを管理するｅＮＢ２００Ａは、ハンドオーバプロシージャとは異なる特定のプロシージャにおいてｅＮＢ２００Ｂにメッセージを送信する。ここで、ｅＮＢ２００Ｂは、セルＡの隣接セルを管理するｅＮＢ２００である。
【００５９】
メッセージは、セルＡのセルサイズに関する情報及び／又はセルＡの二重接続通信の能力に関する情報を含む。以下において、セルサイズに関する情報を「セルサイズ関連情報」と称し、二重接続通信の能力に関する情報を「能力関連情報」と称する。第１実施形態において、メッセージがセルサイズ関連情報及び能力関連情報の両方を含む一例を説明する。
【００６０】
セルサイズ関連情報は、セルＡのサイズを示すインデックス（Ｃｅｌｌ  Ｓｉｚｅ）を含む。「Ｃｅｌｌ  Ｓｉｚｅ」としては、「ｖｅｒｙ  ｓｍａｌｌ」、「ｓｍａｌｌ」、「ｍｅｄｉｕｍ」、「ｌａｒｇｅ」等が挙げられる。セルＡのサイズは、後述するようにエナジーセービング（ＥＳ）等に起因して変更され得る。具体的には、ＥＳを目的としてセルサイズを縮小することがあり得る。また、他セルのカバレッジ補完を目的としてセルサイズを拡大することがあり得る。よって、「Ｃｅｌｌ  Ｓｉｚｅ」は、最新のセルサイズ（現在のセルサイズ）を示すことが望ましい。或いは、「Ｃｅｌｌ  Ｓｉｚｅ」は、ＥＳ等の予定を考慮し、将来のセルサイズを示してもよい。
【００６１】
また、セルサイズ関連情報は、セルＡの送信電力値（Ｔｒａｎｓｍｉｓｓｉｏｎ  ｐｏｗｅｒ）を含んでもよい。「Ｔｒａｎｓｍｉｓｓｉｏｎ  ｐｏｗｅｒ」は、例えば参照信号の送信電力値である。「Ｔｒａｎｓｍｉｓｓｉｏｎ  ｐｏｗｅｒ」は、「ｄＢｍ」又は「ワット」で表されてもよい。「Ｔｒａｎｓｍｉｓｓｉｏｎ  ｐｏｗｅｒ」は、情報量が大きいものの、「Ｃｅｌｌ  Ｓｉｚｅ」よりも詳細なセルサイズを示すことができる。
【００６２】
さらに、セルサイズ関連情報は、セルＡのサイズ変更の可能性を示す情報（ＥＳ  ｃｅｌｌ  ｉｎｄｉｃａｔｏｒ）を含んでもよい。セルサイズ変更の可能性のあるセルについては、「ＥＳ  ｃｅｌｌ  ｉｎｄｉｃａｔｏｒ」をセルサイズ関連情報に含める。
【００６３】
能力関連情報は、二重接続通信の能力の有無を直接的に示す情報、又は二重接続通信の能力の有無を間接的に示す情報である。
【００６４】
二重接続通信の能力の有無を直接的に示す情報とは、例えば、セルＡが二重接続通信の能力を有していれば「１」、セルＡが二重接続通信の能力を有していなければ「０」といったフラグである。
【００６５】
二重接続通信の能力の有無を間接的に示す情報とは、例えば、セルＡが対応するリリース番号である。リリース１２又はそれよりも後のリリースに対応したセルであれば、二重接続通信の能力を有しているとみなすことができる。なお、能力関連情報が含まれていない場合には、リリース８対応のセルであるとみなしてもよい。
【００６６】
ｅＮＢ２００Ａからのメッセージを受信したｅＮＢ２００Ｂは、メッセージに含まれる情報をセルＡと関連付けて記憶する。例えば、ｅＮＢ２００Ｂは、セルＡに関する情報を隣接セルテーブル（ＮＲＴ：Ｎｅｉｇｈｂｏｕｒ  Ｒｅｌａｔｉｏｎ  Ｔａｂｌｅ）の一部として記憶及び管理する。
【００６７】
第１実施形態に係るＮＲＴの一例を表１に示す。
【００６８】
【表１】
2016190357.tif 000003
【００６９】
表１に示すように、第１実施形態に係るＮＲＴは、隣接セル（ＮＲ）のそれぞれについて、ＴＣＩ（Ｔａｒｇｅｔ  Ｃｅｌｌ  Ｉｄｅｎｔｉｆｉｅｒ）、セルサイズ関連情報、及び能力関連情報を有する。ＴＣＩは、例えば、対応する隣接セルのＥＣＧＩ（Ｅ−ＵＴＡＮ  Ｃｅｌｌ  Ｇｌｏｂａｌ  Ｉｄｅｎｔｉｆｉｅｒ）及びＰＣＩ（Ｐｈｙｓｉｃａｌ  Ｃｅｌｌ  Ｉｄｅｎｔｉｆｉｅｒ）である。
【００７０】
ｅＮＢ２００Ｂは、二重接続通信を行うＵＥ１００のハンドオーバ時に、ＮＲＴに含まれるセルサイズ関連情報及び能力関連情報に基づいてＵＥ１００のターゲットセルを決定する。或いは、ｅＮＢ２００Ｂは、ＵＥ１００が二重接続通信を行っていなくても、ＵＥ１００が二重接続通信の機能を有していれば、ＮＲＴに含まれるセルサイズ関連情報及び能力関連情報に基づいてＵＥ１００のターゲットセルを決定してもよい。
【００７１】
第１に、ｅＮＢ２００Ｂは、ＮＲＴに含まれるセルサイズ関連情報に基づいて、セルサイズが大きいセル（例えば、マクロセル）を優先的にターゲットセルとして決定する。例えば、ｅＮＢ２００Ｂは、測定報告に含まれる測定結果と比較される閾値を調整することにより、セルサイズが大きいセルを優先的にターゲットセルとして決定する。ｅＮＢ２００Ｂは、複数のマクロセルがハンドオーバ候補に含まれている場合、「ＥＳ  ｃｅｌｌ  ｉｎｄｉｃａｔｏｒ」に基づいて、複数のマクロセルのうちセルサイズ縮小の可能性の無いマクロセルをターゲットセルとして決定することが好ましい。
【００７２】
ｅＮＢ２００Ｂは、ＵＥ１００の移動速度も考慮してターゲットセルを決定してもよい。例えば、ｅＮＢ２００Ｂは、移動速度が低いＵＥ１００については、マクロセル以外のセル（ピコセル等）をターゲットセルとして決定することが許容される。
【００７３】
第２に、ｅＮＢ２００Ｂは、ＮＲＴに含まれる能力関連情報に基づいて、二重接続通信の能力を有するセルを優先的にターゲットセルとして決定する。
【００７４】
（２．１）第１実施形態に係る動作パターン１
第１実施形態に係る動作パターン１において、ｅＮＢ２００Ａは、Ｘ２確立（Ｘ２  ｓｅｔｕｐ）プロシージャにおいて、上述したようなメッセージをｅＮＢ２００Ｂに送信する。「Ｘ２  ｓｅｔｕｐ」プロシージャは、Ｘ２インターフェイスを介して相互接続される２つのｅＮＢに必要とされるアプリケーションレベルの設定を交換するためのプロシージャである。
【００７５】
図６は、第１実施形態に係る動作パターン１の一例を示す図である。
【００７６】
図６に示すように、ステップＳ１０１において、ｅＮＢ２００Ａは、「Ｘ２  ＳＥＴＵＰ  ＲＥＱＵＥＳＴ」メッセージをｅＮＢ２００Ｂに送信する。「Ｘ２  ＳＥＴＵＰ  ＲＥＱＵＥＳＴ」メッセージは、ｅＮＢ２００Ａが管理する各セルに関する情報（Ｓｅｒｖｅｄ  Ｃｅｌｌ  ｉｎｆｏｒｍａｔｉｏｎ）を含む。「Ｓｅｒｖｅｄ  Ｃｅｌｌ  ｉｎｆｏｒｍａｔｉｏｎ」は、対応するセルのセル識別情報（ＥＣＧＩ、ＰＣＩ）、対応するセルのセルサイズ関連情報、対応するセルの能力関連情報を含む。但し、ｅＮＢ２００Ａが管理する各セルのセルサイズ及び能力が共通であると仮定すると、「Ｘ２  ＳＥＴＵＰ  ＲＥＱＵＥＳＴ」メッセージは、ｅＮＢ２００Ａの識別情報（Ｇｌｏｂａｌ  ｅＮＢ  ＩＤ）と関連付けられた１つのセルサイズ関連情報及び１つの能力関連情報を含んでもよい。この場合、１つのセルサイズ関連情報及び１つの能力関連情報は、ｅＮＢ２００Ａが管理する各セルに共通に適用される。
【００７７】
「Ｘ２  ＳＥＴＵＰ  ＲＥＱＵＥＳＴ」メッセージを受信したｅＮＢ２００Ｂは、「Ｘ２  ＳＥＴＵＰ  ＲＥＱＵＥＳＴ」メッセージに含まれる情報を記憶し、表１に示したようなＮＲＴを作成及び管理する。
【００７８】
ステップＳ１０２において、ｅＮＢ２００Ｂは、「Ｘ２  ＳＥＴＵＰ  ＲＥＳＰＯＮＳＥ」メッセージをｅＮＢ２００Ａに送信する。「Ｘ２  ＳＥＴＵＰ  ＲＥＳＰＯＮＳＥ」メッセージは、ｅＮＢ２００Ｂが管理する各セルに関する情報（Ｓｅｒｖｅｄ  Ｃｅｌｌ  ｉｎｆｏｒｍａｔｉｏｎ）を含む。「Ｓｅｒｖｅｄ  Ｃｅｌｌ  ｉｎｆｏｒｍａｔｉｏｎ」は、対応するセルのセル識別情報（ＥＣＧＩ、ＰＣＩ）、対応するセルのセルサイズ関連情報、対応するセルの能力関連情報を含む。但し、「Ｘ２  ＳＥＴＵＰ  ＲＥＳＰＯＮＳＥ」メッセージは、ｅＮＢ２００の識別情報（Ｇｌｏｂａｌ  ｅＮＢ  ＩＤ）と関連付けられた１つのセルサイズ関連情報及び１つの能力関連情報を含んでもよい。
【００７９】
「Ｘ２  ＳＥＴＵＰ  ＲＥＳＰＯＮＳＥ」メッセージを受信したｅＮＢ２００Ａは、「Ｘ２  ＳＥＴＵＰ  ＲＥＳＰＯＮＳＥ」メッセージに含まれる情報を記憶し、表１に示したようなＮＲＴを作成及び管理する。
【００８０】
なお、ｅＮＢ２００Ｂは、「Ｘ２  ＳＥＴＵＰ  ＲＥＱＵＥＳＴ」メッセージに含まれるセルサイズ関連情報等に基づいて、「Ｘ２  ＳＥＴＵＰ」を承認する場合には、「Ｘ２  ＳＥＴＵＰ  ＲＥＳＰＯＮＳＥ」メッセージを送信し、「Ｘ２  ＳＥＴＵＰ」を承認しない場合には、「Ｘ２  ＳＥＴＵＰ  ＦＡＩＬＵＲＥ」メッセージを送信してもよい。
【００８１】
（２．２）第１実施形態に係る動作パターン２
第１実施形態に係る動作パターン２において、ｅＮＢ２００Ａは、基地局設定更新（ＥＮＢ  ＣＯＮＦＩＧＵＲＡＴＩＯＮ  ＵＰＤＡＴＥ）プロシージャにおいて、上述したようなメッセージをｅＮＢ２００Ｂに送信する。「ＥＮＢ  ＣＯＮＦＩＧＵＲＡＴＩＯＮ  ＵＰＤＡＴＥ」プロシージャは、Ｘ２インターフェイスを介して相互接続される２つのｅＮＢに必要とされるアプリケーションレベルの設定を更新するためのプロシージャである。動作パターン２は、動作パターン１と併用してもよい。
【００８２】
図７は、第１実施形態に係る動作パターン２の一例を示す図である。
【００８３】
図７に示すように、ステップＳ１５１において、ｅＮＢ２００Ａは、「ＥＮＢ  ＣＯＮＦＩＧＵＲＡＴＩＯＮ  ＵＰＤＡＴＥ」メッセージをｅＮＢ２００Ｂに送信する。「ＥＮＢ  ＣＯＮＦＩＧＵＲＡＴＩＯＮ  ＵＰＤＡＴＥ」メッセージは、ｅＮＢ２００Ａにおいて、追加されるセルの更新情報（Ｓｅｒｖｅｄ  Ｃｅｌｌｓ  Ｔｏ  Ａｄｄ）、変更されるセルの更新情報（Ｓｅｒｖｅｄ  Ｃｅｌｌｓ  Ｔｏ  Ｍｏｄｉｆｙ）、又は削除されるセルの更新情報（Ｓｅｒｖｅｄ  Ｃｅｌｌｓ  Ｔｏ  Ｄｅｌｅｔｅ）を含む。これらの更新情報は、対応するセルに関する情報（Ｓｅｒｖｅｄ  Ｃｅｌｌ  ｉｎｆｏｒｍａｔｉｏｎ）を含む。「Ｓｅｒｖｅｄ  Ｃｅｌｌ  ｉｎｆｏｒｍａｔｉｏｎ」は、対応するセルのセル識別情報（ＥＣＧＩ、ＰＣＩ）、対応するセルのセルサイズ関連情報、対応するセルの能力関連情報を含む。但し、「ＥＮＢ  ＣＯＮＦＩＧＵＲＡＴＩＯＮ  ＵＰＤＡＴＥ」メッセージは、ｅＮＢ２００Ａの識別情報（Ｇｌｏｂａｌ  ｅＮＢ  ＩＤ）と関連付けられた１つのセルサイズ関連情報及び１つの能力関連情報を含んでもよい。
【００８４】
「ＥＮＢ  ＣＯＮＦＩＧＵＲＡＴＩＯＮ  ＵＰＤＡＴＥ」メッセージを受信したｅＮＢ２００Ｂは、「ＥＮＢ  ＣＯＮＦＩＧＵＲＡＴＩＯＮ  ＵＰＤＡＴＥ」メッセージに含まれる情報を記憶し、表１に示したようなＮＲＴを更新及び管理する。
【００８５】
ステップＳ１５２において、ｅＮＢ２００Ｂは、「ＥＮＢ  ＣＯＮＦＩＧＵＲＡＴＩＯＮ  ＵＰＤＡＴＥ  ＡＣＫＮＯＷＬＥＤＧＥ」メッセージをｅＮＢ２００Ａに送信する。ｅＮＢ２００Ａは、「ＥＮＢ  ＣＯＮＦＩＧＵＲＡＴＩＯＮ  ＵＰＤＡＴＥ  ＡＣＫＮＯＷＬＥＤＧＥ」メッセージを受信する。
【００８６】
［第２実施形態］
第２実施形態について、第１実施形態との相違点を主として説明する。
【００８７】
第１実施形態において、ハンドオーバプロシージャとは異なるプロシージャにおいてセルサイズ関連情報及び能力関連情報をｅＮＢ間で送受信していた。これに対し、第２実施形態においては、ハンドオーバプロシージャにおいてセルサイズ関連情報及び能力関連情報をｅＮＢ間で送受信する。
【００８８】
第２実施形態において、ターゲットセルを管理するターゲットｅＮＢは、ソースｅＮＢにハンドオーバ承認メッセージを送信する。ハンドオーバ承認メッセージは、ターゲットセルのセルサイズに関する情報（セルサイズ関連情報）及び／又はターゲットセルの二重接続通信の能力に関する情報（能力関連情報）を含む。ハンドオーバ承認メッセージを受信したソースｅＮＢは、ハンドオーバ承認メッセージに含まれる情報に基づいて、ハンドオーバプロシージャを継続するか否かを判断する。
【００８９】
図８は、第２実施形態に係る動作の一例を示す図である。図８の初期状態において、ＵＥ１００が、ｅＮＢ２００Ｓ（ソース基地局）をＭｅＮＢとして設定し、二重接続通信を行っていると仮定する。
【００９０】
図８に示すように、ステップＳ２０１において、ＵＥ１００は、測定報告（Ｍｅａｓｕｒｅｍｅｎｔ  Ｒｅｐｏｒｔ）をｅＮＢ２００Ｓに送信する。「Ｍｅａｓｕｒｅｍｅｎｔ  Ｒｅｐｏｒｔ」は、サービングセル及び隣接セルのそれぞれの測定結果を含む。ここでは、「Ｍｅａｓｕｒｅｍｅｎｔ  Ｒｅｐｏｒｔ」が、ｅＮＢ２００Ｓが管理するセルＡの測定結果及びｅＮＢ２００Ｔが管理するセルＢの測定結果を含むと仮定する。ｅＮＢ２００Ｓは、「Ｍｅａｓｕｒｅｍｅｎｔ  Ｒｅｐｏｒｔ」に基づいて、セルＢをターゲットセルとして決定する。
【００９１】
ステップＳ２０２において、ｅＮＢ２００Ｓは、ハンドオーバ要求（Ｈａｎｄｏｖｅｒ  Ｒｅｑｕｅｓｔ）メッセージをｅＮＢ２００Ｔに送信する。「Ｈａｎｄｏｖｅｒ  Ｒｅｑｕｅｓｔ」メッセージは、ターゲットセルの識別情報（Ｔａｒｇｅｔ  Ｃｅｌｌ  ＩＤ）を含む。ｅＮＢ２００Ｔは、「Ｈａｎｄｏｖｅｒ  Ｒｅｑｕｅｓｔ」メッセージを承認するか否かを判断する。ここでは、ｅＮＢ２００Ｔが「Ｈａｎｄｏｖｅｒ  Ｒｅｑｕｅｓｔ」メッセージに示されるハンドオーバの要求を承認したと仮定して説明を進める。
【００９２】
ステップＳ２０３において、ｅＮＢ２００Ｔは、ハンドオーバ承認（Ｈａｎｄｏｖｅｒ  Ｒｅｑｕｅｓｔ  ＡＣＫ）メッセージをｅＮＢ２００Ｓに送信する。「Ｈａｎｄｏｖｅｒ  Ｒｅｑｕｅｓｔ  ＡＣＫ」メッセージは、ターゲットセルのセルサイズ関連情報又はターゲットセルの能力関連情報を含む。第２実施形態において、「Ｈａｎｄｏｖｅｒ  Ｒｅｑｕｅｓｔ  ＡＣＫ」メッセージがセルサイズ関連情報及び能力関連情報の両方を含む一例を説明する。
【００９３】
ｅＮＢ２００Ｓは、二重接続通信を行うＵＥ１００のハンドオーバ時に、「Ｈａｎｄｏｖｅｒ  Ｒｅｑｕｅｓｔ  ＡＣＫ」メッセージに含まれるセルサイズ関連情報及び能力関連情報に基づいて、ｅＮＢ２００Ｔに対するハンドオーバプロシージャを継続するか否かを判断する。或いは、ｅＮＢ２００Ｓは、ＵＥ１００が二重接続通信を行っていなくても、ＵＥ１００が二重接続通信の機能を有していれば、「Ｈａｎｄｏｖｅｒ  Ｒｅｑｕｅｓｔ  ＡＣＫ」メッセージに含まれるセルサイズ関連情報及び／又は能力関連情報に基づいて、ｅＮＢ２００Ｔに対するハンドオーバプロシージャを継続するか否かを判断してもよい。
【００９４】
また、ｅＮＢ２００Ｓは、ハンドオーバプロシージャを複数のｅＮＢに対して並列的に行なってもよい。そして、ｅＮＢ２００Ｓは、複数のｅＮＢから「Ｈａｎｄｏｖｅｒ  Ｒｅｑｕｅｓｔ  ＡＣＫ」メッセージが得られた場合、複数のｅＮＢの中からハンドオーバプロシージャを継続する最終的なターゲットｅＮＢを選択し、選択したターゲットｅＮＢ以外のｅＮＢとのハンドオーバプロシージャをキャンセルすると判断してもよい。
【００９５】
第１に、ｅＮＢ２００Ｓは、セルサイズ関連情報に基づいて、複数のｅＮＢ（セル）からセルサイズが大きいセル（例えば、マクロセル）とのハンドオーバプロシージャを優先的に継続する。ｅＮＢ２００Ｓは、複数のマクロセルがハンドオーバ候補に含まれている場合、「ＥＳ  ｃｅｌｌ  ｉｎｄｉｃａｔｏｒ」に基づいて、複数のマクロセルのうちセルサイズ縮小の可能性の無いマクロセルとのハンドオーバプロシージャを継続することが好ましい。ｅＮＢ２００Ｓは、ＵＥ１００の移動速度も考慮してターゲットセルを決定してもよい。例えば、ｅＮＢ２００Ｓは、移動速度が低いＵＥ１００については、マクロセル以外のセル（ピコセル等）をターゲットセルとして決定することが許容される。なお、仮に、複数のピコセルから一のピコセルをターゲットとして選択する場合、「ＥＳ  ｃｅｌｌ  ｉｎｄｉｃａｔｏｒ」が含まれるピコセル（すなわち、セルサイズが拡大する可能性があるピコセル）を優先して選択してもよい。第２に、ｅＮＢ２００Ｓは、能力関連情報に基づいて、二重接続通信の能力を有するセルとのハンドオーバプロシージャを優先的に継続する。
【００９６】
ｅＮＢ２００Ｓは、ｅＮＢ２００Ｔとのハンドオーバプロシージャを継続すると判断した場合、ｅＮＢ２００Ｔ（ターゲットセル）へのハンドオーバを指示する「Ｈａｎｄｏｖｅｒ  Ｃｏｍｍａｎｄ」をＵＥ１００に送信する（ステップＳ２０４）。ＵＥ１００は、「Ｈａｎｄｏｖｅｒ  Ｃｏｍｍａｎｄ」の受信に応じて、ｅＮＢ２００Ｔ（ターゲットセル）へのハンドオーバを実行する。
【００９７】
これに対し、ｅＮＢ２００Ｔとのハンドオーバプロシージャをキャンセルすると判断した場合、ｅＮＢ２００Ｓは、進行中のハンドオーバプロシージャのキャンセルを示す「Ｈａｎｄｏｖｅｒ  Ｃａｎｃｅｌ」メッセージをｅＮＢ２００Ｔに送信する（ステップＳ２０５）。これにより、ハンドオーバプロシージャがキャンセルされる。
【００９８】
なお、ｅＮＢ２００Ｓは、「Ｈａｎｄｏｖｅｒ  Ｒｅｑｕｅｓｔ  ＡＣＫ」メッセージに含まれるセルサイズ関連情報及び能力関連情報に基づいて、表１に示したようなＮＲＴの一部を更新又は新規で追加してもよい。これにより、ｅＮＢ２００Ｓは、ＮＲＴに基づいて次回のハンドオーバ判断を適切に行うことができる。このようなＮＲＴの一部の更新又は新規追加を行う場合に、第１実施形態のＸ２セットアッププロシージャ及びｅＮＢ設定更新プロシージャも加えて行ってもよいし、行わなくてもよい。
【００９９】
［第３実施形態］
第３実施形態について、第１実施形態及び第２実施形態との相違点を主として説明する。第３実施形態は、ハンドオーバプロシージャにおいてセルサイズ関連情報及び能力関連情報をｅＮＢ間で送受信する点で第２実施形態と共通する。但し、セルサイズ関連情報及び能力関連情報の意味合いが第２実施形態とは異なる。
【０１００】
第３実施形態において、ソースｅＮＢは、ターゲットセルを管理するターゲットｅＮＢにハンドオーバ要求メッセージを送信する。ハンドオーバ要求メッセージは、ターゲットセルに要求されるセルサイズに関する情報（セルサイズ関連情報）及び／又はターゲットセルに要求される二重接続通信の能力に関する情報（能力関連情報）を含む。セルサイズ関連情報及び能力関連情報の具体例については第１実施形態と同様である。ハンドオーバ要求メッセージを受信したターゲットｅＮＢは、ハンドオーバ要求メッセージに含まれる情報に基づいて、ハンドオーバ要求メッセージを承認するか否かを判断する。
【０１０１】
図９は、第３実施形態に係る動作の一例を示す図である。図９の初期状態において、ＵＥ１００が、ｅＮＢ２００Ｓ（ソース基地局）をＭｅＮＢとして設定し、二重接続通信を行っていると仮定する。
【０１０２】
図９に示すように、ステップＳ３０１において、ＵＥ１００は、測定報告（Ｍｅａｓｕｒｅｍｅｎｔ  Ｒｅｐｏｒｔ）をｅＮＢ２００Ｓに送信する。「Ｍｅａｓｕｒｅｍｅｎｔ  Ｒｅｐｏｒｔ」の具体例については、第２実施形態と同様である。ｅＮＢ２００Ｓは、「Ｍｅａｓｕｒｅｍｅｎｔ  Ｒｅｐｏｒｔ」に基づいて、ｅＮＢ２００Ｔが管理するセルＢをターゲットセルとして決定する。
【０１０３】
ステップＳ３０２において、ｅＮＢ２００Ｓは、ハンドオーバ要求（Ｈａｎｄｏｖｅｒ  Ｒｅｑｕｅｓｔ）メッセージをｅＮＢ２００Ｔに送信する。「Ｈａｎｄｏｖｅｒ  Ｒｅｑｕｅｓｔ」メッセージは、ターゲットセルの識別情報（Ｔａｒｇｅｔ  Ｃｅｌｌ  ＩＤ）を含む。第３実施形態において、「Ｈａｎｄｏｖｅｒ  Ｒｅｑｕｅｓｔ」メッセージは、ターゲットセルに要求されるセルサイズに関する情報（セルサイズ関連情報）及び／又はターゲットセルに要求される二重接続通信の能力に関する情報（能力関連情報）を含む。第３実施形態において、「Ｈａｎｄｏｖｅｒ  Ｒｅｑｕｅｓｔ」メッセージがセルサイズ関連情報及び能力関連情報の両方を含む一例を説明する。
【０１０４】
第１に、ｅＮＢ２００Ｓは、二重接続通信を行うＵＥ１００のハンドオーバ時に、セルサイズが大きいセル（例えば、マクロセル）を希望セルサイズとして要求するセルサイズ関連情報を「Ｈａｎｄｏｖｅｒ  Ｒｅｑｕｅｓｔ」メッセージに含める。或いは、ｅＮＢ２００Ｓは、ＵＥ１００が二重接続通信を行っていなくても、ＵＥ１００が二重接続通信の機能を有していれば、セルサイズが大きいセル（例えば、マクロセル）を希望セルサイズとして要求するセルサイズ関連情報を「Ｈａｎｄｏｖｅｒ  Ｒｅｑｕｅｓｔ」メッセージに含めてもよい。
【０１０５】
第２に、ｅＮＢ２００Ｓは、二重接続通信を行うＵＥ１００のハンドオーバ時に、二重接続通信の能力を有するセルを希望セルとして要求する能力関連情報を「Ｈａｎｄｏｖｅｒ  Ｒｅｑｕｅｓｔ」メッセージに含める。或いは、ｅＮＢ２００Ｓは、ＵＥ１００が二重接続通信を行っていなくても、ＵＥ１００が二重接続通信の機能を有していれば、二重接続通信の能力を有するセルを希望セルとして要求する能力関連情報を「Ｈａｎｄｏｖｅｒ  Ｒｅｑｕｅｓｔ」メッセージに含めてもよい。
【０１０６】
ｅＮＢ２００Ｔは、「Ｈａｎｄｏｖｅｒ  Ｒｅｑｕｅｓｔ」メッセージに示されるハンドオーバの要求を承認するか否かを判断する。第３実施形態において、ｅＮＢ２００Ｔは、「Ｈａｎｄｏｖｅｒ  Ｒｅｑｕｅｓｔ」メッセージに含まれるセルサイズ関連情報及び能力関連情報に基づいて、要求されたセルサイズ及び能力をターゲットセルが満足するか否かを判断する。ｅＮＢ２００Ｔは、要求されたセルサイズ及び能力をターゲットセルが満足すると判断した場合、ハンドオーバ承認（Ｈａｎｄｏｖｅｒ  Ｒｅｑｕｅｓｔ  ＡＣＫ）メッセージをｅＮＢ２００Ｓに送信する（ステップＳ３０３）。これに対し、要求されたセルサイズ及び能力をターゲットセルが満足しないと判断した場合、ｅＮＢ２００Ｔは、ハンドオーバ要求を受け入れられない旨を示すメッセージをｅＮＢ２００Ｓに送信する（ステップＳ３０３）。ここでいうハンドオーバ要求を受け入れられない旨を示すメッセージは、ハンドオーバ拒否メッセージ（Ｈａｎｄｏｖｅｒ  Ｒｅｑｕｅｓｔ  ＮＡＣＫ）又はハンドオーバ準備失敗メッセージ（Ｈａｎｄｏｖｅｒ  Ｐｒｅｐａｒａｔｉｏｎ  Ｆａｉｌｕｒｅ）であってもよい。
【０１０７】
ｅＮＢ２００Ｓは、ｅＮＢ２００Ｔから「Ｈａｎｄｏｖｅｒ  Ｒｅｑｕｅｓｔ  ＡＣＫ」メッセージを受信した場合、ｅＮＢ２００Ｔ（ターゲットセル）へのハンドオーバを指示する「Ｈａｎｄｏｖｅｒ  Ｃｏｍｍａｎｄ」をＵＥ１００に送信する（ステップＳ３０４）。ＵＥ１００は、「Ｈａｎｄｏｖｅｒ  Ｃｏｍｍａｎｄ」の受信に応じて、ｅＮＢ２００Ｔ（ターゲットセル）へのハンドオーバを実行する。これに対し、ｅＮＢ２００Ｔからハンドオーバ要求を受け入れられない旨を示すメッセージを受信した場合、ｅＮＢ２００Ｓは、ｅＮＢ２００Ｔ（ターゲットセル）とのハンドオーバプロシージャをキャンセルする。
【０１０８】
なお、ｅＮＢ２００Ｓは、「Ｈａｎｄｏｖｅｒ  Ｒｅｑｕｅｓｔ  ＡＣＫ」メッセージ及びハンドオーバ要求を受け入れられない旨を示すメッセージ（「Ｈａｎｄｏｖｅｒ  Ｒｅｑｕｅｓｔ  ＮＡＣＫ」メッセージ又は「Ｈａｎｄｏｖｅｒ  Ｐｒｅｐａｒａｔｉｏｎ  Ｆａｉｌｕｒｅ」メッセージ）の受信状況に応じて、表１に示したようなＮＲＴの一部を更新又は新規で追加してもよい。これにより、ｅＮＢ２００Ｓは、ＮＲＴに基づいて次回のハンドオーバ判断を適切に行うことができる。このようなＮＲＴの一部の更新又は新規追加を行う場合に、第１実施形態のＸ２セットアッププロシージャ及びｅＮＢ設定更新プロシージャも加えて行ってもよいし、行わなくてもよい。
【０１０９】
［第４実施形態］
第４実施形態について、第１実施形態乃至第３実施形態との相違点を主として説明する。
【０１１０】
第１実施形態において、セルサイズ関連情報及び能力関連情報をｅＮＢ間で直接的に送受信していた。これに対し、第４実施形態においては、ＵＥ１００を通じて、セルサイズ関連情報及び能力関連情報をｅＮＢ間で間接的に送受信する。
【０１１１】
第４実施形態において、ＵＥ１００は、隣接セルから受信する無線信号に基づいて、サービングセルに測定報告を送信する。測定報告は、隣接セルのセルサイズに関する情報及び／又は隣接セルの二重接続通信の能力に関する情報を含む。サービングセルを管理するｅＮＢ２００は、測定報告に含まれる情報を隣接セルと関連付けて記憶する。
【０１１２】
図１０は、第４実施形態に係る動作の一例を示す図である。図１０の初期状態において、ＵＥ１００は、ｅＮＢ２００Ｓのセル（サービングセル）においてＲＲＣコネクティッドモードにある。
【０１１３】
図１０に示すように、ステップＳ４０１において、隣接セルを管理するｅＮＢ２００Ｎは、当該隣接セルにおいてシステム情報（ＳＩＢ：Ｓｙｓｔｅｍ  Ｉｎｆｏｒｍａｔｉｏｎ  Ｂｌｏｃｋ）をブロードキャストにより送信する。第４実施形態において、ＳＩＢは、当該隣接セルのセル識別情報、当該隣接セルのセルサイズ関連情報、当該隣接セルの能力関連情報を含む。ＵＥ１００は、隣接セルのＳＩＢを受信する。なお、ＵＥ１００は、ｅＮＢ２００Ｓ（サービングセル）からの要求に応じて、隣接セルのＳＩＢを受信してもよい。
【０１１４】
ステップＳ４０２において、ＵＥ１００は、測定報告（Ｍｅａｓｕｒｅｍｅｎｔ  Ｒｅｐｏｒｔ）をｅＮＢ２００Ｓに送信する。「Ｍｅａｓｕｒｅｍｅｎｔ  Ｒｅｐｏｒｔ」は、サービングセル及び隣接セルのそれぞれの測定結果を含む。第４実施形態において、「Ｍｅａｓｕｒｅｍｅｎｔ  Ｒｅｐｏｒｔ」は、隣接セルのセルサイズ関連情報及び／又は能力関連情報を含む。
【０１１５】
「Ｍｅａｓｕｒｅｍｅｎｔ  Ｒｅｐｏｒｔ」を受信したｅＮＢ２００Ｓは、「Ｍｅａｓｕｒｅｍｅｎｔ  Ｒｅｐｏｒｔ」に含まれるセルサイズ関連情報及び能力関連情報を記憶し、表１に示したようなＮＲＴを作成及び管理する。その後の動作については、第１実施形態と同様である。
【０１１６】
［その他の実施形態］
上述した第３実施形態及び第４実施形態において、Ｘ２インターフェイスを介したハンドオーバプロシージャである「Ｘ２−ｂａｓｅｄ  ｈａｎｄｏｖｅｒ  ｐｒｏｃｅｄｕｒｅ」を想定していた。しかしながら、ソースｅＮＢとターゲットｅＮＢとの間にＸ２インターフェイスが未確立である場合や「Ｘ２−ｂａｓｅｄ  ｈａｎｄｏｖｅｒ  ｐｒｏｃｅｄｕｒｅ」に失敗した場合には、Ｓ１インターフェイス及びＭＭＥを介したハンドオーバプロシージャである「Ｓ１−ｂａｓｅｄ  ｈａｎｄｏｖｅｒ  ｐｒｏｃｅｄｕｒｅ」が行われる。よって、第３実施形態及び第４実施形態において、ソースｅＮＢは、ターゲットｅＮＢとの間でＸ２インターフェイスを介したハンドオーバプロシージャを実行できない場合には、Ｓ１及びＭＭＥを介したハンドオーバプロシージャ（Ｓ１−ｂａｓｅｄ  ｈａｎｄｏｖｅｒ）を実行してもよい。その場合、第３実施形態及び第４実施形態に係る動作を、Ｓ１インターフェイス及びＭＭＥを介したハンドオーバプロシージャ（Ｓ１−ｂａｓｅｄ  ｈａｎｄｏｖｅｒ）にも適用してもよい。
【０１１７】
上述した第１実施形態乃至第３実施形態において、セルサイズ関連情報及び能力関連情報の両方をｅＮＢ間で送受信する一例を主として説明した。しかしながら、セルサイズ関連情報及び能力関連情報の何れか一方のみをｅＮＢ間で送受信してもよい。
【０１１８】
上述した第４実施形態において、セルサイズ関連情報及び能力関連情報の両方をＵＥ１００からｅＮＢ２００に送信する一例を主として説明した。しかしながら、セルサイズ関連情報及び能力関連情報の何れか一方のみをＵＥ１００からｅＮＢ２００に送信してもよい。
【０１１９】
上述した各実施形態において、移動通信システムとしてＬＴＥシステムを例示した。しかしながら、本発明はＬＴＥシステムに限定されない。ＬＴＥシステム以外のシステムに本発明を適用してもよい。
【０１２０】
［相互参照］
日本国特許出願第２０１５−１０８８８１号（２０１５年５月２８日出願）の内容が参照により本願明細書に組み込まれている。
【産業上の利用可能性】
【０１２１】
本発明は、通信分野において有用である。
【図１】
2016190357.tif 000004
【図２】
2016190357.tif 000005
【図３】
2016190357.tif 000006
【図４】
2016190357.tif 000007
【図５】
2016190357.tif 000008
【図６】
2016190357.tif 000009
【図７】
2016190357.tif 000010
【図８】
2016190357.tif 000011
【図９】
2016190357.tif 000012
【図１０】
2016190357.tif 000013
【国際調査報告】
2016190357.tif 000014
2016190357.tif 000015